(57)【要約】【課題】  表示部の位置をスムーズに変更できる眼科装置を提供することを技術課題とする。【解決手段】  被検眼を検査するための眼科装置であって、  前記被検眼を検査する検眼部と、表示部を前記検眼部に対して水平方向に移動させる可動部と、前記可動部の移動をガイドするガイド部と、を備えることを特徴とする。前記可動部は、水平方向に摺動することによって、前記表示部を水平方向に移動させてもよい。前記ガイド部は、前記眼科装置の正面位置と、左右の少なくともいずれかの側面位置と、に前記可動部の移動をガイドしてもよい。【選択図】      図８
2018000646.tif 000002
【特許請求の範囲】
【請求項１】
被検眼を検査するための眼科装置であって、
前記被検眼を検査する検眼部と、
表示部を前記検眼部に対して水平方向に移動させる可動部と、
前記可動部の移動をガイドするガイド部と、
を備えることを特徴とする眼科装置。
【請求項２】
前記ガイド部は、前記眼科装置の正面位置と、左右の少なくともいずれかの側面位置と、に前記可動部の移動をガイドすることを特徴とする請求項１の眼科装置。
【請求項３】
前記ガイド部は、前記表示部が前記眼科装置の外装に沿うように設定された軌跡を移動するように、前記可動部の移動をガイドすることを特徴とする請求項１または２の眼科装置。
【請求項４】
前記ガイド部は、前記表示部が楕円形状の軌跡を移動するように、前記可動部の移動をガイドすることを特徴とする請求項１〜３のいずれかの眼科装置。
【請求項５】
前記可動部は、水平方向に摺動することによって、前記表示部を水平方向に移動させることを特徴とする請求項１〜４のいずれかの眼科装置。
【請求項６】
前記ガイド部は、ガイド溝を備え、
前記ガイド溝の形状に基づいて、前記可動部の移動をガイドすることを特徴とする請求項１〜５のいずれかの眼科装置。
【請求項７】
前記可動部は、ローラを備え、
前記ガイド部は、前記ローラを前記ガイド溝に沿って転がすことによって前記可動部の移動をガイドすることを特徴とする請求項６の眼科装置。
【請求項８】
前記可動部は、前記ローラを２つ備えることを特徴とする請求項７の眼科装置。
【請求項９】
前記可動部は、プレートを備え、
前記プレートは、水平方向に摺動可能に挟持されることを特徴とする請求項１〜８のいずれかの眼科装置。
【請求項１０】
前記外装の上部に、基部と、押え部と、を備え、
前記プレートは、前記基部と押え部との間に挟持されることを特徴とする請求項９の眼科装置。
【請求項１１】
前記可動部は、前記表示部を水平軸回りに回転可能に保持する回転軸を備えることを特徴とする請求項１〜１０のいずれかの眼科装置。
【発明の詳細な説明】
【技術分野】
【０００１】
本開示は、被検眼を検査するための眼科装置に関する。
【背景技術】
【０００２】
従来の眼科装置としては、例えば、眼屈折力測定装置、角膜曲率測定装置、眼圧測定装置、眼底カメラ、ＯＣＴ、ＳＬＯ等が知られている。これらの装置は、本体に表示部を備え、検者は、表示部の表示を見ながら装置のアライメントおよび測定結果の確認等を行う。
【０００３】
また、特許文献１は、表示部を水平軸回りに回転させて表示部の上下を反転させ、さらに表示部を垂直軸回りに回転させることによって、検査室のレイアウトに応じて表示部の位置を変更する装置が提案されている。
【先行技術文献】
【特許文献】
【０００４】
【特許文献１】特開２０１５−０９１４２７
【発明の開示】
【発明が解決しようとする課題】
【０００５】
しかしながら、従来の眼科装置では、表示部を装置の側面（左右面）にスムーズに移動させることができなかった。
【０００６】
本開示は、従来の問題点に鑑み、表示部の位置をスムーズに変更できる眼科装置を提供することを技術課題とする。
【課題を解決するための手段】
【０００７】
上記課題を解決するために、本開示は以下のような構成を備えることを特徴とする。
【０００８】
（１）被検眼を検査するための眼科装置であって、前記被検眼を検査する検眼部と、表示部を前記検眼部に対して水平方向に移動させる可動部と、前記可動部の移動をガイドするガイド部と、を備えることを特徴とする。
【図面の簡単な説明】
【０００９】
【図１】本実施例の外観を示す概略図である。
【図２】本実施例の光学系および制御系を示す図である。
【図３】表示部を上から見たときの構造を示す図である。
【図４】表示部を横から見たときの構造を示す図である。
【図５】正面に配置された表示部を上から見たときの構造を示す図である。
【図６】正面と側面の間に配置された表示部を上から見たときの構造を示す図である。
【図７】表示部が正面にあるときの装置全体の概略図である。
【図８】表示部を正面から側方に移動させる途中の装置全体の概略図である。
【図９】表示部が側面にあるときの装置全体の概略図である。
【図１０】表示部を上下反転させたときの装置全体の概略図である。
【図１１】ガイド部の変容例を示す図である。
【図１２】ガイド部の変容例を示す図である。
【発明を実施するための形態】
【００１０】
＜実施形態＞
本実施形態の眼科装置は、検眼部と、可動部と、ガイド部を備える。検眼部は、被検眼を検査する。可動部は、表示部を水平方向（例えば、左右方向）に移動させる。例えば、可動部は、表示部を水平方向にスライドさせる。可動部は、例えば、表示部を水平方向に摺動させるためのスライダーを備えてもよいし、表示部を水平方向に移動させるためのローラ等を備えてもよい。可動部は、例えば、表示部を取り付ける取付部（例えば、取付板）を備えてもよい。ガイド部は、可動部の移動をガイドする。例えば、ガイド部は、溝、レール等を備える。例えば、可動部は、ガイド溝、ガイドレール等に沿って移動する。これによって、本装置は、表示部をガイド部のガイドに従って水平方向に移動させることができる。例えば、本装置は、表示部を正面（被検者の反対側）および左右にスムーズに配置することができ、表示部の配置の自由度を高くできる。
【００１１】
＜実施例＞
以下、本開示に係る実施例について説明する。本実施例の眼科装置は、例えば、被検眼を検査する装置である。眼科装置としては、例えば、眼屈折力測定装置、角膜曲率測定装置、角膜形状測定装置、眼圧測定装置、眼軸長測定装置、眼底カメラ、ＯＣＴ（optical coherence tomography）、ＳＬＯ（Scanning Laser Ophthalmoscope）等が挙げられる。以下の説明では、一例として眼屈折力測定装置を説明する。
【００１２】
本実施例の眼科装置は、例えば、被検眼の眼屈折力を他覚的に測定する。例えば、本実施例の眼科装置は、片眼毎に測定を行ってもよいし、両眼同時に（両眼視で）測定を行う装置であってもよい。眼科装置は、例えば、検眼部と、表示部と、駆動部と、制御部等を備える。なお、以下の説明において、検眼部２の光軸方向をＺ軸方向（前後方向）、Ｚ軸方向に垂直な水平方向をＸ軸方向（左右方向）、Ｚ軸およびＸ軸に垂直な方向をＹ軸方向（上下方向）とする。
【００１３】
＜外観＞
図１に基づいて、眼科装置の外観を説明する。図１に示すように、本実施例の眼科装置１は、検眼部２と、表示部１００などを備える。検眼部２は、被検眼を検査する。検眼部２は、例えば、被検眼の眼屈折力、角膜曲率、眼圧等を測定する光学系を備えてもよい。また、検眼部２は、被検眼の前眼部、眼底等を撮影するための光学系等を備えてもよい。本実施例では、屈折力を測定する検眼部２を例に説明する。表示部１００は、例えば、被検眼の観察画像および測定結果等を表示させる。
【００１４】
さらに、本実施例の眼科装置１は、例えば、外装６、駆動部４、操作部８、顔支持部９等を備えてもよい。例えば、外装６は、検眼部２、駆動部４等を覆う。駆動部４は、例えば、検眼部２を基台５に対して上下左右前後方向（３次元方向）に移動させる。眼科装置１は、操作部８を備えてもよい。操作部８は、装置１の各種設定、測定開始時の操作に用いられる。操作部８には、検者による各種操作指示が入力される。例えば、操作部８は、タッチパネル、ジョイスティック、マウス、キーボード、トラックボール、ボタン等の各種ヒューマンインターフェイスであってもよい。なお、表示部１００としてタッチパネルが用いられる場合は、表示部１００として操作部として兼用されてもよい。顔支持部９は、例えば、額当てと顎台を備えてもよい。例えば、顎台は、顎台駆動部の駆動によって上下方向に移動されてもよい。
【００１５】
＜制御系＞
図２に示すように、本装置１は制御部７０を備える。制御部７０は、本装置１の各種制御を司る。制御部７０は、例えば、一般的なＣＰＵ（Central Processing Unit）７１、ＲＯＭ７２、ＲＡＭ７３等を備える。例えば、ＲＯＭ７２には、眼科装置を制御するための眼科装置制御プログラム、初期値等が記憶されている。例えば、ＲＡＭは、各種情報を一時的に記憶する。制御部７０は、検眼部２、駆動部４、表示部１００、操作部８、記憶部（例えば、不揮発性メモリ）７４等と接続されている。記憶部７４は、例えば、電源の供給が遮断されても記憶内容を保持できる非一過性の記憶媒体である。例えば、ハードディスクドライブ、着脱可能なＵＳＢフラッシュメモリ等を記憶部７４として使用することができる。
【００１６】
＜検眼部＞
検眼部２は、被検眼の測定，検査，撮影などを行う。検眼部２は、例えば、被検眼の屈折力を測定する測定光学系を備えてもよい。例えば、図２に示すように、検眼部２は、測定光学系２０と、固視標呈示光学系４０と、指標投影光学系５０と、観察光学系（撮像光学系）６０と、を備えてもよい。
【００１７】
測定光学系２０は、投影光学系（投光光学系）２０ａと、受光光学系２０ｂと、を有している。投影光学系２０ａは、被検眼の瞳孔を介して眼底Ｅｆに光束を投影する。また、受光光学系２０ｂは、瞳孔周辺部を介して眼底Ｅｆからの反射光束（眼底反射光）をリング状に取り出し、主に屈折力の測定に用いるリング状の眼底反射像を撮像する。
【００１８】
投影光学系２０ａは、測定光源２１と、リレーレンズ２２と、ホールミラー２３と、対物レンズ２４と、を光軸Ｌ１上に有している。光源２１は、リレーレンズ２２から対物レンズ２４、および、瞳孔中心部を介して眼底Ｅｆにスポット状の光源像を投影する。光源２１は、移動機構３３によって光軸Ｌ１方向に移動される。ホールミラー２３には、リレーレンズ２２を介した光源２１からの光束を通過させる開口が設けられている。ホールミラー２３は、被検眼の瞳孔と光学的に共役な位置に配置されている。
【００１９】
受光光学系２０ｂは、ホールミラー２３と、対物レンズ２４と、を投影光学系２０ａと共用する。また、受光光学系２０ｂは、リレーレンズ２６と、全反射ミラー２７と、を有している。更に、受光光学系２０ｂは、受光絞り２８と、コリメータレンズ２９と、リングレンズ３０と、撮像素子３２と、をホールミラー２３の反射方向の光軸Ｌ２上に有している。撮像素子３２には、エリアＣＣＤ等の二次元受光素子を用いることができる。受光絞り２８、コリメータレンズ２９、リングレンズ３０、及び撮像素子３２は、移動機構３３によって、投影光学系２０ａの測定光源２１と一体的に光軸Ｌ２方向に移動される。移動機構３３によって光源２１が眼底Ｅｆと光学的に共役な位置に配置される場合、受光絞り２８及び撮像素子３２も、眼底Ｅｆと光学的に共役な位置に配置される。
【００２０】
リングレンズ３０は、対物レンズ２４からコリメータレンズ２９を介して導かれる眼底反射光を、リング状に整形するための光学素子である。リングレンズ３０は、リング状のレンズ部と、遮光部と、を有している。また、受光絞り２８及び撮像素子３２が、眼底Ｅｆと光学的に共役な位置に配置される場合、リングレンズ３０は、被検眼の瞳孔と光学的に共役な位置に配置される。撮像素子３２では、リングレンズ３０を介したリング状の眼底反射光（以下、リング像という）が受光される。撮像素子３２は、受光したリング像の画像情報を、制御部７０に出力する。その結果、制御部７０では、表示部１００でのリング像の表示、およびリング像に基づく屈折力の算出等が行われる。
【００２１】
また、図２に示すように、本実施例では、対物レンズ２４と被検眼との間に、ダイクロイックミラー３９が配置されている。ダイクロイックミラー３９は、光源２１から出射された光、および、光源２１からの光に応じた眼底反射光を透過する。また、ダイクロイックミラー３９は、後述の固視標呈示光学系４０からの光束を被検眼に導く。更に、ダイクロイックミラー３９は、後述の指標投影光学系５０からの光の前眼部反射光を反射して、その前眼部反射光を観察光学系６０に導く。
【００２２】
図２に示すように、被検眼の前方には、指標投影光学系５０が配置されている。指標投影光学系５０は、主に、被検眼に対する光学系の位置合わせ（アライメント）に用いられる指標を前眼部に投影する。この場合、指標投影光学系５０は、被検眼に対する光学系のＸＹ方向又はＺ方向の少なくともいずれかに位置合わせ（アライメント）に用いられる指標を前眼部に投影する。なお、指標投影光学系５０を用いず、前眼部画像における特徴部位を検出することによってアライメント検出を行うようにしてもよい。もちろん、指標検出と、特徴部位の検出とを併用して、アライメントを検出してもよい。
【００２３】
指標投影光学系５０は、例えば、リング指標投影部５１と、指標投影部５２と、を備える。リング指標投影部５１は、被検者眼Ｅの角膜に拡散光を投影し、リング指標（いわゆるマイヤーリング）を投影する。リング指標投影部５１は、本実施例の眼科装置１では、被検者眼Ｅの前眼部を照明する前眼部照明としても用いられる。指標投影部５２は、被検眼の角膜に平行光を投影し、無限遠指標を投影する。
【００２４】
視標呈示光学系４０は、光源４１、固視標４２、リレーレンズ４３、反射ミラー４６の反射方向の光軸Ｌ４上に有している。固視標４２は、他覚屈折力測定時に被検眼を固視させるために使用される。例えば、光源４１によって固視標４２が照明されることによって、被検眼に呈示される。
【００２５】
光源４１及び固視標４２は、駆動機構４８によって光軸Ｌ４の方向に一体的に移動される。光源４１及び固視標４２の移動によって、固視標の呈示位置（呈示距離）を変更してもよい。これによって、被検眼に雲霧をかけて屈折力測定を行うことができる。
【００２６】
前眼撮影光学系６０は、撮像レンズ６１と、撮像素子６２とを、ハーフミラー６３の反射方向の光軸Ｌ３上に備える。撮像素子６２は、被検眼の前眼部と光学的に共役な位置に配置される。撮像素子６２は、リング指標投影部５１によって照明される前眼部を撮像する。撮像素子６２からの出力は、制御部７０に入力される。その結果、撮像素子６２によって撮像される被検眼の前眼部画像が、表示部１００に表示される（図２参照）。また、撮像素子６２では、指標投影光学系５０によって被検眼の角膜に形成されるアライメント指標像（本実施例では、リング指標および無限遠指標）が撮像される。その結果、制御部７０は、撮像素子６２の撮像結果に基づいてアライメント指標像を検出できる。これによって、制御部７０は、アライメント状態の適否を、アライメント指標像が検出される位置に基づいて判定できる。
【００２７】
＜表示部の移動機構＞
本装置１は、表示部１００の位置を移動させるための移動機構を備える。図３は、表示部１００の移動機構を上から見たときの様子を示している。図３に示すように、本装置１は、可動部１３０と、ガイド部１１０を備える。可動部１３０は、装置１に対して水平方向に移動する。可動部１３０には表示部１００が取り付けられており、表示部１００は可動部１３０とともに水平方向に移動される。ガイド部１１０は、可動部１３０が所望の軌跡で移動するように、可動部１３０の移動をガイドする。
【００２８】
可動部１３０は、例えば、取付板１３１を備える。取付板１３１は、例えば、水平方向に移動するプレートである。また、取付板１３１は、表示部１００を水平軸Ｊ１回りに回転可能に保持する。表示部１００は、取付板１３１とともに水平方向に移動する。取付板１３１は、例えば、装置上部の基部１２０と押え板１２１の間に挿入され、その間を摺動する（図４参照）。可動部は、例えば、ローラ１３６、付勢部１３５、押付部１３３を備えてもよい。ローラ１３６、付勢部１３５、押付部１３３は、例えば、取付板１３１に取り付けられる。
【００２９】
ローラ１３６は、ガイド部１１０に係合する。これによって、取付板１３１の移動は、ガイド部１１０によってガイドされる。本実施例の取付板１３１は、ローラ１３６を２つ備え、この２つのローラ１３６ａ，１３６ｂがガイド部１１０に係合する。これによって、表示部１００の移動位置と画面方向がガイド部１１０によって規定され、表示部１００と外装６との接触を防ぐことができる。もちろん、表示部１００の位置に関わらず画面の方向を任意に変更したい場合、ローラ１３６は１つであってもよい。付勢部１３５は、取付板１３１に固定される。押付部１３３は、付勢部１３５に連結される。
【００３０】
付勢部１３５は、取付板１３１が押え板１２１の間に摺動可能に挟持されるように、適切な力で押え板１２１に対して押付部１３３を押しつける。これによって、所定の力が水平方向に加わると、取付板１３１が基部１２０と押え板１２１の間を安定して滑る。なお、付勢部１３５によって押付部１３３が基部１２０に押し付けられる構成であってもよいし、付勢部１３５および押付部１３３が基部１２０または押え板１２１に設けられ、押付部１３３が取付板１３１に押し付けられる構成であってもよい。
【００３１】
ガイド部１１０は、例えば、装置上部の基部１２０に設けられる。ガイド部１１０は、例えば、ガイド溝１１１であってもよい。例えば、ガイド溝１１１はローラ１３６と係合され、ローラ１３６がガイド溝１１１に沿って転がることによって、可動部１３０の移動がガイドされる。
【００３２】
ガイド溝１１１は、例えば、直線的であってもよいし、曲線的であってもよい。ガイド溝１１１は、直線部と曲線部の両方を備えてもよい。もちろん、ガイド溝１１１は、円形状であってもよいし、楕円形状であってもよい。本実施例のガイド溝１１１は、一部が直線で形成され、残りは曲線形状であり、表示部１００を楕円に近い軌跡で移動させる。ガイド溝１１１の形状は、表示部１００とともに可動部１３０を左右にスライドさせたときに、表示部１００が外装６に接触しないように設定される。なお、本実施例のガイド溝１１１は、Ｃ型の形状であるが、Ｏ型の形状にして、表示部１００を３６０°旋回できるようにしてもよい。これによって、表示部１００の配置の自由度を高めることができる。なお、ガイド部１１０は、ガイドレール等であってもよい。
【００３３】
＜移動動作＞
本実施例の可動部１３０は、検者が被検者と対面する状態において、検者の正面および左右に表示部１００を移動させることができる。つまり、検者が被検者に対して装置１の反対側、または装置１の左側もしくは右側で検査を行う場合、それぞれの位置に表示部１００を移動させることができる。例えば、図５は、装置１の正面（被検者の反対側）に配置された表示部１００を上から見たときの構造を示す図である。この状態で表示部１００が検者によって右方向に押されると、取付板１３１が右方向に摺動する。このとき、ローラ１３６がガイド溝１１１に沿って転がることで、取付板１３１は楕円に近い軌跡に沿ってスライドする（図６参照）。取付板１３１に取り付けられた表示部１００も同様に楕円に近い軌跡Ｋにそって移動する。表示部１００は、軌跡Ｋに沿って移動し、ローラ１３６がガイド溝１１１の端部に当接するか、または検者が表示部１００を押すことを止めるまで移動される。表示部１００を正面に戻す場合、または被検者の右側に移動させる場合、検者は表示部１００を左方向に押すと、可動部１３０はガイド溝１１１にガイドされながら左方向に摺動し、表示部１００が装置１の正面、さらには左側面に移動する。
【００３４】
表示部１００が移動する軌跡Ｋは、ガイド溝１１１の形状と２つのローラ１３６ａ，１３６ｂの間隔などによって設定される。この軌跡Ｋは、表示部１００が装置本体の外装６に触れないように設定されるとよい。また、表示部１００の移動に要する空間をコンパクトにするために軌跡Ｋの形状をできるだけ小さくし、外装６に沿うようにするとよい。これによって、表示部１００を左右方向に移動させる時に表示部１００が検査室の壁などに接触することを抑制できる。
【００３５】
図７〜９は、表示部１００を装置の正面（被検者の反対側）から装置の側面に移動させたときの装置の外観図である。図７は、表示部１００が装置の正面にある場合の正面図（ａ）と、側面図（ｂ）である。図８は、表示部１００が装置の正面と側面の中間にある場合の正面図（ａ）と、側面図（ｂ）である。図９は、表示部１００が装置の側面にある場合の正面図（ａ）と、側面図（ｂ）である。
【００３６】
図７〜９に示すように、可動部１３０とガイド部１１０によって表示部１００を移動させることで、表示部１００を装置１の外装６に沿って移動させることができる。これによって、表示部１００の移動に要するスペースを小さくすることができ、表示部１００を移動させて使用する場合の装置の配置スペースをコンパクトにできる。仮に、本実施例のように外装６が前後方向に長い矩形状の装置において、１つの垂直軸回りに表示部１００を回転させたとする。この場合、表示部が正面に配置されるときに比べ、表示部が側面に配置されるときは、表示部と外装６との間の距離が大きくなってしまい、不要なスペースが生じる。
【００３７】
なお、本実施例の装置１では、表示部１００を大きくチルトさせなくとも、装置の外装６に干渉させることなく表示部１００を左右に移動させることができる。したがって、表示部１００を左右に移動させる際にわざわざチルトさせる手間が省け、スムーズに表示部１００の位置を変更できる。また、装置の左右のどちらかに座って検査する場合であっても、被検者の対面に座って操作する場合に比べてモニタの高さおよびチルトの角度を同等にできるため、同じ姿勢で検査し易い。
【００３８】
＜表示部反転＞
なお、取付板１３１は、表示部１００を上下反転可能に保持してもよい。例えば、取付板１３１は、表示部１００を水平軸回りに回転させ、上下反転させた状態で画面を被検者側に向けてもよい（図１０参照）。これによって、検者は、被検者側に立って検査する場合であっても表示部１００の表示を見ることができる。なお、表示部１００が上下反転された状態で可動部１３０によって表示部１００が左右に摺動されてもよい。これによって、検者のさまざまな状態に合わせて表示部１００の位置を変更できる。
【００３９】
＜変容例＞
なお、ガイド部１１０は、平行移動するように可動部１３０をガイドしてもよい。例えば、図１１のように、ガイド溝１１１が直線形状である場合、ローラ１３６が直線形状のガイド溝１１１を沿うことによって、可動部１３０が平行移動する。これによって、画面の方向を変えることなく、表示部１００の位置を調整できる。なお、ガイド溝１１１が直線である場合も表示部１００を正面から側面に移動させることができる（図１１参照）。
【００４０】
また、ガイド部１１０は、可動部１３０が所定の範囲内で移動できるようにガイドしてもよい。例えば、図１２に示すように、ガイド溝１１１は、ローラ１３６の径よりも大きな幅を有する形成であってもよい。この場合、可動部１３０は所定の範囲内で任意に移動でき、表示部１００の姿勢の自由度を高めることができる。このように、ガイド部１１０は可動部１３０が装置本体から外れないように移動をガイドしてもよい。
【００４１】
なお、上記の実施例において、取付板１３１にはローラ１３６が２つ設けられているが、ローラ１３６が３個以上設けられる構成であってもよい。この場合、ローラ１３６は取付板１３１に対して前後方向に移動可能であるとよい。
【００４２】
なお、上記の実施例において、取付板１３１にローラ１３６が設けられているが、取付板１３１の代わりにガイド部１１０にローラ１３６が設けられてもよい。例えば、ガイド溝１１１の壁面に複数のローラ１３６が備えられてもよい。
【００４３】
なお、ローラ１３６は、表示部１００の移動を滑らかにするためであり、必ずしも設けられなくてもよい。例えば、ローラ１３６ではなく、ガイド溝１１１と係合する凸部であってもよい。
【００４４】
なお、可動部１３０およびガイド部１１０は、装置上部ではなく他の部分に設けられてもよい。例えば、可動部１３０およびガイド部１１０は、装置正面および側面に設けられ、表示部１００を装置正面から側面に移動させる構成であってもよい。
【００４５】
なお、上記の実施例において、付勢部１３５と押付部１３３が設けられる構成としたが、これらは可動部１３０の移動を安定させるためのものであり、必ずしも設けなくてもよい。例えば、取付板１３１が基部１２０と押え板１２１の間に適度な隙間で摺動可能に挿入される構成であってもよい。
【００４６】
＜測定＞
以下、本装置１の制御動作について説明する。本装置１は、例えば、被検眼を検査するために、検眼部２と被検眼とのアライメントを全自動（フルオート）で行う。例えば、制御部７０は、図示無き顔撮影部によって撮影された顔画像から被検者の眼を検出し、その方向に検眼部２を移動させる。この間、制御部７０は、前眼部観察光学系６０によって撮影された被検眼の前眼部画像から、指標投影光学系５０によって投影されたアライメント指標を検出してもよい。顔画像から検出された被検眼の情報に基づいて、粗アライメントが行われたところで、前眼部画像からアライメント指標を検出すると、制御部７０は、アライメント指標による微アライメントを行う。例えば、制御部７０は、アライメント指標の位置が所定位置となるように検眼部２を移動させ、アライメントを完了させる。
【００４７】
アライメント完了すると、制御部７０は、測定光を被検眼の眼底に照射し、眼底によって反射された測定光の検出結果に基づいて、被検眼の眼屈折力を測定する。例えば、制御部は、撮像素子３２によって受光したリング像の形状に基づいて屈折力の算出を行う。片眼の測定が完了すると、制御部７０は測定対象眼を切り換える。例えば、制御部７０は、検査が完了した眼からもう一方の眼に検眼部２を移動させ、再度アライメントを行う。アライメントが完了すると、制御部７０はもう一方の被検眼の検査を行う。
【００４８】
なお、図５，６，１１，１２は、構造を見やすくするために押え板１２１を外した状態を示している。
【符号の説明】
【００４９】
１  眼科装置
２  検眼部
４  駆動部
５  基台
６  外装
９  顔支持部
７０  制御部
７１  ＣＰＵ
７２  ＲＯＭ
７３  ＲＡＭ
【図１】
2018000646.tif 000003
【図２】
2018000646.tif 000004
【図３】
2018000646.tif 000005
【図４】
2018000646.tif 000006
【図５】
2018000646.tif 000007
【図６】
2018000646.tif 000008
【図７】
2018000646.tif 000009
【図８】
2018000646.tif 000010
【図９】
2018000646.tif 000011
【図１０】
2018000646.tif 000012
【図１１】
2018000646.tif 000013
【図１２】
2018000646.tif 000014